(57)【要約】      （修正有）【課題】仕様変更があった場合にも、制限スイッチの開放状態を確実に保持できて取り付け及び取り外しを容易に行うことができるようにする。【解決手段】乗りかごをガイドレールの停止位置で停止させる信号を出力する制限スイッチと、乗りかごに設けた動作金具がローラ部に当接すると自身の復帰力に抗して回転することで制限スイッチを開放するレバーと、ガイドレールにブラケットを介して取り付けたスイッチボックスとを備えたエレベーター用昇降制限装置の動作試験装置を、レバーのローラ部１１Ａに係合するローラ受け部１４Ａと、ブラケットに巻き付け可能な結束部１４Ｂとから構成し、この結束部１４Ｂをブラケットに巻き付けた状態で制限スイッチが開放状態となるように、レバーの復帰力に抗してローラ部１１Ａが一定の位置に保持されるようにする。【選択図】図４
2008074558.tif 000002
【特許請求の範囲】
【請求項１】
昇降路内を昇降する乗りかごをガイドレールの上端停止位置若しくは下端停止位置で停止させる信号を出力する制限スイッチと、前記乗りかごに取り付けられた動作金具が先端のローラ部に当接すると自身の復帰力に抗して回転駆動することで前記制限スイッチを開放するレバーと、前記乗りかごの昇降動作を案内するガイドレールにブラケットを介して取り付けられた前記制限スイッチ及び前記レバーを支持するスイッチボックスを備えたエレベーター用昇降制限装置の動作試験装置であって、
前記レバーのローラ部に係合可能なローラ受け部と、前記スイッチボックスを取り付けた前記ブラケットに巻き付け可能な結束部とからなり、この結束部を前記ブラケットに巻き付けられた状態で前記制限スイッチが開放状態となって、前記ローラ受け部により前記レバーの復帰力に抗して前記ローラ部を一定の位置に保持するようにしたことを特徴とするエレベーター用昇降制限装置の動作試験装置。
【請求項２】
前記ローラ受け部を、前記レバーのローラ部に掛けることが可能なリング状とするとともに、前記結束部を、帯状の綿ファスナーから構成したことを特徴とする請求項１記載のエレベーター用昇降制限装置の動作試験装置。
【発明の詳細な説明】
【技術分野】
【０００１】
本発明は、エレベーター用昇降制限装置の動作試験装置に関するものである。
【背景技術】
【０００２】
一般に、エレベーターの分野では、昇降路内を昇降する乗りかごをガイドレールの上端停止位置若しくは下端停止位置で停止させる信号を出力する制限スイッチと、前記乗りかごに取り付けられた動作金具が先端のローラ部に当接すると自身の復帰力に抗して回転駆動することで前記制限スイッチを開放するレバーと、前記乗りかごの昇降動作を案内するガイドレールにブラケットを介して取り付けられた前記制限スイッチ及び前記レバーを支持するスイッチボックスを備えたエレベーター用昇降制限装置を設けることにより、乗りかごの昇降を制限して、昇降路内の頂部及び底部で保守作業する保守作業者の安全が確保されるようにしている。
【０００３】
しかも、エレベーターの分野では、保守作業者の安全を確保するために、エレベーター用昇降制限装置の定期検査を年１回程度実施して、そのエレベーター用昇降制限装置の動作試験（動作状態及び機能確認）を行うことが義務付けられている。そして、その動作試験をするための装置としては、エレベーター用昇降制限装置をローラとレバーとの間に紐を引っ掛けて、この紐を引っ張ることにより、軸を支点として回転するレバーを後退させてスイッチボックスに支持された制限スイッチを開放状態にするようにしたものが知られている（例えば、特許文献１参照）。
【０００４】
さらに、エレベーター用昇降制限装置の動作試験をするための装置としては、その昇降制限装置に、略Ｌ字形の板状部材を、スイッチボックスとレバーに係合させた状態で取り付けることで、スイッチボックスによって、レバーの自動復帰を阻止することにより、制限スッツチの開放状態を保持するようにしたものが知られている（例えば、特許文献２参照）。
【特許文献１】特開昭６１−１２７５８０号公報
【特許文献２】特開平１０−８７１９５号公報
【発明の開示】
【発明が解決しようとする課題】
【０００５】
しかしながら、上述した特開昭６１−１２７５８０号公報に記載されたエレベーター用昇降制限装置の動作試験装置では、ローラとレバーとの間に引っ掛ける紐の取り付け時間が長くなるとともに、その紐が絡まってしまうという問題があった。
【０００６】
さらに、上述した特開平１０−８７１９５号公報に記載されたエレベーター用昇降制限装置の動作試験装置では、その昇降制限装置の仕様変更によってレバーが回動式から出没式に変更した場合には使用することができなくなるとともに、略Ｌ字形の板状部材をスイッチボックス側面に磁気吸着させることによって、板状部材の落下を防止するようにしているが、スイッチボックスを磁気吸着不可能な材料とするように変更した場合には、板状部材をスイッチボックス側面に磁気吸着させておくことができなくなってしまうという問題があった。
【０００７】
本発明は、上述した従来技術における実状からなされたもので、その目的は、エレベーター用昇降制限装置の改良によって、スイッチボックスやレバーの形状、材質などの使用変更があっても、制限スイッチの開放状態を確実に保持することのできる構造簡単なエレベーター用昇降制限装置の動作試験装置を提供することにある。
【課題を解決するための手段】
【０００８】
上記目的を達成するために、本発明は、昇降路内を昇降する乗りかごをガイドレールの上端停止位置若しくは下端停止位置で停止させる信号を出力する制限スイッチと、前記乗りかごに取り付けられた動作金具が先端のローラ部に当接すると自身の復帰力に抗して回転駆動することで前記制限スイッチを開放するレバーと、前記乗りかごの昇降動作を案内するガイドレールにブラケットを介して取り付けられた前記制限スイッチ及び前記レバーを支持するスイッチボックスを備えたエレベーター用昇降制限装置の動作試験装置であって、前記レバーのローラ部に係合可能なローラ受け部と、前記スイッチボックスを取り付けた前記ブラケットに巻き付け可能な結束部とからなり、この結束部を前記ブラケットに巻き付けられた状態で前記制限スイッチが開放状態となって、前記ローラ受け部により前記レバーの復帰力に抗して前記ローラ部を一定の位置に保持するようにしたことを特徴としている。
【０００９】
さらに、本発明は、前記ローラ受け部を、前記レバーのローラ部に掛けることが可能なリング状とするとともに、前記結束部を、帯状の綿ファスナーから構成したことを特徴としている。
【発明の効果】
【００１０】
本発明によれば、エレベーター用昇降制限装置の仕様変更があった場合にも
制限スイッチの開放状態を確実に保持することができ、しかも、取り付け及び取り外しが容易に行えるエレベーター用昇降制限装置の動作試験装置が得られる。
【発明を実施するための最良の形態】
【００１１】
以下、本発明に係るエレベーター用昇降制限装置の動作試験装置の一実施形態を、図１〜図４に、基づいて説明する。図１は、本発明の一実施形態に係り、エレベーターの昇降路内の概略説明図である。図２は、本発明の一実施形態に係り、エレベーター用昇降制限装置の要部側面図である。図３は、本発明の一実施形態に係り、エレベーター用昇降制限装置に用いられる動作試験装置の平面図である。図４は、本発明の一実施形態に係り、エレベーター用昇降制限装置に用いられる動作試験装置の取り付ける状態を示す要部斜視図である。
【００１２】
図１に示す本発明の一実施形態に係るエレベーター１の昇降路２内には、乗りかご３、駆動綱車４、つり合いおもり５、第１転向プーリー６、第２転向プーリー７、主ロープ８が設けられている。主ロープ８は、乗りかご３の底部に設けた２個の乗りかご用プーリー３Ａ、３Ｂ―第１転向プーリー６―駆動綱車４―第２転向プーリー７―つり合いおもり用プーリー５Ａの順で巻装されており、その主ロープ８の両端８Ａ、８Ｂを昇降路２内の頂部に固定されている。乗りかご３は、駆動綱車４を回転させて主ロープ８を移動させることにより、昇降路２内に設けたガイドレールに沿って昇降するようにしてある。昇降路２内の底部には、乗りかご用ばね緩衝器９及びつり合いおもり用ばね緩衝器１０が設置されている。
【００１３】
昇降路２内の上端側及び下端側のそれぞれには、図１に示すように、乗りかご３が走行中に、上下端へ行き過ぎることを抑止するためのエレベーター用昇降制限装置１１が設置されている。エレベーター用昇降制限装置１１は、昇降路２内に設けたガイドレール（図示せず）にブラケット１２を介して固定されている。昇降路２内の上端側に設けたエレベーター用昇降制限装置１１の制限スイッチからは、乗りかごをガイドレールの上端停止位置で停止させる信号がエレベーター制御装置（図示せず）に出力される。昇降路２内の下端側に設けたエレベーター用昇降制限装置１１の制限スイッチからは、乗りかごをガイドレールの下端停止位置で停止させる信号がエレベーター制御装置（図示せず）に出力される。
【００１４】
エレベーター用昇降制限装置１１は、図２に示すように、先端にローラ部１１Ａを有するレバー１１Ｂと、このレバー１１Ｂを回動支持しているスイッチボックス１１Ｃと、このスイッチボックス１１Ｃ内に支持されて開放時に乗りかご３を停止させる信号を出力する制限スイッチ（図示せず）とを備えている。レバー１１Ｂは、一回転方向に弾性付勢されるように、スイッチボックス１１Ｃに回動支持されている。
【００１５】
昇降路２内の下端側に設けたエレベーター用昇降制限装置１１は、乗りかご３が下降して、その乗りかご３の下端側に設けた動作金具１３によって、ローラ部１１Ａが押されることにより、レバー１１Ｂが自身の復帰力（付勢力）に抗して（逆らって）、一定量回動すると、スイッチボックス１１Ｃ内に設けた制限スイッチが開放状態となり、停止信号をエレベーター制御装置(図示せず)に対して出力するようにしてある。これによって、乗りかご３は、ガイドレールの下端停止位置で停止させられる。また、昇降路２内の上端側に設けたエレベーター用昇降制限装置１１は、乗りかご３が上昇して、その乗りかご３の上端側に設けた動作金具１３Ａによって、ローラ部１１Ａが押されることにより、レバー１１Ｂが自身の復帰力（付勢力）に抗して、一定量回動すると、スイッチボックス１１Ｃ内に設けた制限スイッチが開放状態となり、停止信号をエレベーター制御装置に対して出力するようにしてある。これによって、乗りかご３は、ガイドレールの上端停止位置で停止させられる。
【００１６】
エレベーター用昇降制限装置１１の動作試験装置１４は、レバー１１Ｂのローラ部１１Ａに係合可能なローラ受け部１４Ａと、スイッチボックス１１Ｃを取り付けたブラケット７に巻き付け可能な結束部１４Ｂとからなり、この結束部１４Ｂをブラケット１２に巻き付けられた状態で制限スイッチが開放状態とし、かつ、ローラ受け部１４Ａにより、レバー１１Ｂの復帰力に抗して（逆らって）ローラ部１１Ａが一定の位置に保持されるようにしてある。動作試験装置１４のローラ受け部１４Ａは、レバー１１Ｂのローラ部１１Ａに掛けることが可能なリング状にしてある。動作試験装置１１の結束部１４Ｂは、帯状の綿ファスナーから構成してある。
【００１７】
動作試験装置１４は、図４に示すように、エレベーター用昇降制限装置１１のレバー１１Ｂを、スイッチボックス１１Ｃ内に設けた制限スイッチが開放状態となる回動位置まで回動させた後、そのレバー１１Ｂの位置が変動させないように、ローラ部１１Ａにローラ受け部１４Ａを掛け、その後、結束部１４Ｂをスイッチボックス１１Ｃが取り付けられているブラケット７の背面を通してスイッチボックス１１Ｃ及びブラケット７に巻き付けるようにしてある。これにより、レバー１１Ｂの復帰力に抗してローラ部１１Ａが、一定の位置、すなわち、制限スイッチが開放状態にした位置に、保持される。
【００１８】
次に、動作試験装置１４によるエレベーター用昇降制限装置１１の動作試験の仕方を説明する。
【００１９】
まず、昇降路２内の下端側に設けたエレベーター用昇降制限装置１１の動作試験をする場合は、昇降路２の底部（ピット）内に保守作業者が入って動作試験装置１４をエレベーター用昇降制限装置１１に取り付ける。その場合、エレベーター用昇降制限装置１１のレバー１１Ｂを、制限スイッチが開放状態となる回動位置まで回動させた後、動作試験装置１４のローラ受け部１４Ａをレバー１１Ｂのローラ部１１Ａに嵌合させ、その後、レバー１１Ｂが自身の復帰力で回動しないように、動作試験装置１４の結束部１４Ｂをブラケット７に巻き付ける。
【００２０】
次に、エレベーター制御装置に乗りかご３を下降走行させる指令を送信することにより、乗りかご３の走行の有無を確認する。乗りかご３の走行の有無の確認の結果、乗りかご３が走行しない場合には、エレベーター用昇降制限装置１１の動作試験が合格と判定し、かつ、乗りかご３が走行した場合には、エレベーター用昇降制限装置１１の動作試験が不合格と判定する。
【００２１】
エレベーター用昇降制限装置１１の動作試験の判定が終わったならば、動作試験装置１４を、エレベーター用昇降制限装置１１から外して、乗りかご３の走行に邪魔にならないように、ブラケット７等に取り付けておく。また、エレベーター用昇降制限装置１１の動作試験が不合格の場合には、エレベーター用昇降制限装置１１の不具合点を調査して、その不具合点を保守作業者が直すようにする。
【００２２】
次に、昇降路２内の上端側に設けたエレベーター用昇降制限装置１１の動作試験をする場合は、乗りかご３の上に載った保守作業者が動作試験装置１４を、昇降路２内の下端側に設けたエレベーター用昇降制限装置１１と同様に、昇降路２内の上端側に設けたエレベーター用昇降制限装置１１に取り付けた後、エレベーター制御装置に乗りかご３を上昇走行させる指令を送信することにより、乗りかご３の走行の有無を確認すればよい。
【００２３】
上記一実施形態の動作試験装置１４によれば、リング状のローラ受け部１４Ａがレバー１１Ｂのローラ部１１Ａに嵌合し、かつ、帯状の綿ファスナーからなる結束部１４Ｂがブラケット７に巻き付けられるので、レバー１１Ｂのローラ部１１Ａからリング状のローラ受け部１４Ａが抜け出すことがないため、エレベーター用昇降制限装置１１から動作試験装置１４が、動作試験中に外れることで、その動作試験中に乗りかご３が走行してしまうようなことがなくなり、安全性が向上する。
【００２４】
さらに、上記一実施形態の動作試験装置１４によれば、リング状のローラ受け部１４Ａと帯状の綿ファスナーからなる結束部１４Ｂとからなるという簡単な構造であるので、生産性及び取扱性に優れている。
【００２５】
さらに、上記一実施形態の動作試験装置１４によれば、特に、方向性がないため、エレベーター用昇降制限装置１１のレバー１１Ｂの回転する方向が逆であっても、そのエレベーター用昇降制限装置１１に取り付けて使用することができ、便利である。
【００２６】
さらに、上記一実施形態の動作試験装置１４によれば、エレベーター用昇降制限装置１１の改良などによって、スイッチボックス１１Ｃやレバー１１Ｂの形状、材質などの使用変更があっても、ローラ受け部１４Ａをレバー１１Ｂのローラ部１１Ａに係合させて結束部１４Ｂをスイッチボックス１１Ｃ及びブラケット７に巻き付けることにより、レバー１１Ｂの復帰力に抗してローラ部１１Ａを一定の位置に維持させた状態で、エレベーター用昇降制限装置１１に動作試験装置１４を簡単に取り付けることができる。
【００２７】
さらに、上記構成の動作試験装置１４によれば、エレベーター用昇降制限装置１１の動作試験時に、そのエレベーター用昇降制限装置１１に取り付けた動作試験装置１４を、エレベーター用昇降制限装置１１の動作試験時以外の時に、乗りかご３の走行に支障ないように、ブラケット７に巻き付けておくようにすれば、保守作業者が動作試験装置１４を携帯する必要性がなくなるので、便利である。
【００２８】
さらに、上記構成の動作試験装置１４によれば、レバー１１Ｂのローラ部１１Ａにリング状のローラ受け部１４Ａを嵌合させて結束部１４Ｂをブラケット７に巻き付けることで、容易に動作試験装置１４の取り付けの作業を行うことができ、かつ、ブラケット７への結束部１４Ｂの巻き付けを取り除いてリング状のローラ受け部１４Ａをレバー１１Ｂのローラ部１１Ａから離すことで、容易に動作試験装置１４の取り外しの作業を行うことができるので、エレベーター用昇降制限装置１１の動作試験の作業性が向上する。また、動作試験装置１４の取り外し及び取り外しの作業を、保守作業者一人で行うことができるので、エレベーターの定期検査の１人作業化を可能にする。
【００２９】
上記実施形態例では、動作試験装置１４の結束部１４Ｂをスイッチボックス１１Ｃ及びブラケット７に巻き付けるようにしているが、動作試験装置１４の結束部１４Ｂをブラケット７のみに巻き付けるようにしてもよい。
【図面の簡単な説明】
【００３０】
【図１】本発明の一実施形態に係り、エレベーターの昇降路内の概略説明図である。
【図２】本発明の一実施形態に係り、エレベーター用昇降制限装置の要部側面図である。
【図３】本発明の一実施形態に係り、エレベーター用昇降制限装置に用いられる動作試験装置の平面図である。
【図４】本発明の一実施形態に係り、エレベーター用昇降制限装置に用いられる動作試験装置の取り付ける状態を示す要部斜視図である。
【００３１】
１    エレベーター
２    昇降路
３    乗りかご
３Ａ、３Ｂ  乗りかご用プーリー
４    駆動綱車
５    つり合いおもり
５Ａ  つり合いおもり用プーリー
６    第１転向プーリー
７    第２転向プーリー
８    主ロープ
８Ａ、８Ｂ  両端
９    乗りかご用ばね緩衝器
１０  つり合いおもり用ばね緩衝器
１１  エレベーター用昇降制限装置
１１Ａ  ローラ部
１１Ｂ  レバー
１１Ｃ  スイッチボックス
１２  ブラケット
１３、１３Ａ  動作金具
１４  動作試験装置
１４Ａ  ローラ受け部
１４Ｂ  結束部
【図１】
2008074558.tif 000003
【図２】
2008074558.tif 000004
【図３】
2008074558.tif 000005
【図４】
2008074558.tif 000006